(57)【要約】【課題】  窓に用いられる防犯用面格子として、屋内から屋外を見通すにあたり視界を邪魔せず、どの様な建物の外観とも調和し、より高い防犯性能をもち、後付が容易な面格子を提供すること。【解決手段】  窓の外側に配設した防犯を目的とする面格子であって、上枠２ｃと下枠２ｄおよび左右縦枠２ａ、２ｂからなる枠体３で、その上枠２ｃと下枠２ｄ間もしくは、両縦枠２ａ、２ｂ間に形成された面状部１を透光性と透視性とを有し、かつ硝子の２００倍程度の耐衝撃性能を有する合成樹脂で形成した。【選択図】  図１
2006336438.tif 000002
【特許請求の範囲】
【請求項１】
窓の外側に配設した防犯を目的とする面格子であって、上枠と下枠および左右の縦枠からなる枠体で、その上枠と下枠間もしくは、両縦枠間に形成された面状部を透光性と透視性とを有し、かつ硝子の約２００倍程度の耐衝撃性能を有する合成樹脂で形成した事を特徴とする面格子。
【発明の詳細な説明】
【技術分野】
【０００１】  本発明は、住宅、ビル、店舗、公共施設等の窓サッシの外側に、防犯の為に用いられる面格子に関するものである。
【背景技術】
【０００２】  従来からの面格子として、アルミニウム押出し形材よりなる上下２本の横桟に、同じくアルミニウム押出し形材よりなる複数本の縦桟を渡し止めてなるものが広く知られている（非特許文献１参照）。【０００３】  さらに、アルミニウム等の金属材により方形に形成された枠の中に複数のアルミニウム等の金属桟を縦横又は斜めに連結してからなる面格子が知られている（非特許文献１参照）。
【非特許文献１】  企画編集・発行者  ＹＫＫＡＰ株式会社、２００４年２月発行（第２版）Ｐ４００−４０３
【発明の開示】
【発明が解決しようとする課題】
【０００４】  しかし、従来のような、アルミニウム等の金属材に形成された枠の中に複数のアルミニウム等の金属桟を縦横又は斜めに連結してからなる面格子では、屋内から屋外を見通すにあたって、その複数の金属桟が視界を遮り、まるで牢屋の様な圧迫感をもたらし、採光の面からはサッシ窓開口全体の採光面積から金属桟の占める面積を差し引くと一般に約２０％〜２５％程度明るさが失われる事となり、仮に防犯性を高める為に金属桟の本数を増やしたり、金属桟の幅を太くしたりすれば、反比例してさらに採光面積が減り圧迫感が増大するという課題があった。【０００５】  さらに、近代の建物の外観上のデザインにおいては、窓サッシや外装板および外壁は多種多様な色彩およびデザインが開発、使用されているにもかかわらず、窓サッシの外側に配設する面格子の金属桟等により、窓サッシの外観デザインの一部は遮られ、外壁の色との調和も難しく建物全体のデザインの統一感を大きく損ねているという課題があった。【０００６】  又、従来の面格子は一般に金属桟自体の横幅が狭く細いため、金属桟と金属桟の間の空間に糸のこぎりなどの切断工具を挿入し、切断する事も容易であり、又、金属桟を一般の成人男性が力強く引っ張ることにより短時間で破壊されるおそれもあり、防犯の面で十分と言えないという課題があった。【０００７】  現在、防犯を目的とした窓の外側に配設する面格子にあって、面状の合成樹脂で上枠と下枠間及び両縦枠間を形成した面格子は未だに存在しない。
【課題を解決するための手段】
【０００８】  上記課題を解決するために請求項１に記載の本発明は、窓の外側に配設した防犯を目的とする面格子であって、上枠と下枠及び左右の縦枠からなる枠体で、その上枠と下枠間もしくは両縦枠間に形成された空間を、面状で透光性と透視性を有し、かつ硝子の２００倍程度の耐衝撃性能を有する合成樹脂で形成した。
【発明の効果】
【０００９】  本発明により、防犯目的で面格子を取付しても、室内から外の景色を見る際に金属桟などが、視界や採光を遮ることが一切なくなり不要な圧迫感を感じず、面格子を取付していない窓と、なんら変わらない透視性や採光性を確保でき、さらに窓を開けた状態においても、十分に防犯しつつ、風を採り入れる事もできる。【００１０】  又、近代の建物は、住宅、ビル、店舗を問わずその外観において様々な色やデザインが採用されているが、仮に本発明に係る面格子の枠体にアルミ材を使用したとしても、枠体の色を窓サッシの枠の色と同色とすれば、全く目立つ事なく自然であり、本発明に係る面格子の大部分の面積を占める面状部は透明な為、外観上の窓サッシ本体のデザインを遮らず、又その周囲の外壁の色がいかなる色であっても、とけこみ調和し、和風、洋風に限らず建物外観全体の統一感を損なわない。【００１１】  例えば商業店舗などのショーウィンドウでは、従来、防犯は必要とされていたものの、窓の外側に面格子を取付すると建物全体の外観上のデザインを損ない、面格子の金属桟が中の商品を鑑賞する邪魔をするという点で問題があったが、本発明によれば店舗の外観デザインを損ねず、かつ、中の商品もよく見え、さらに十分なる防犯ができ効果的である。【００１２】  防犯面においては、従来は一定の透視性と採光性を確保する為、横幅の細い金属桟を利用せざるを得ず、その桟と桟の間に空間が出来、その結果、その空間に金属切断工具を挿入され切断されたり、金属桟を力強く引っ張る事により破壊される事があり十分とは言えなかったが、本発明に係る面格子によれば、従来の金属桟の部分は硝子の２００倍程度の耐衝撃性能を持つ面状の合成樹脂で形成されており隙間がなく、金属切断工具を挿入する事も、もちろん金属桟自体が無いので、それを力強く引っ張り破壊する事も出来ず、極めて高い防犯効果を発揮する。【００１３】  本発明に係る面格子の面状部に最も好適な合成樹脂であるポリカーボネイトを使用した場合、その特性により、紫外線カットの大きな効果を得る事が出来る。この為、室内側に紫外線カットフィルムなどを貼らずとも、畳焼けやフローリングの色あせ防止にも大いに効果を発揮する。【００１４】  本発明に係る面格子は、面格子取付金具により、係る面格子の枠体と躯体とを固定する為、既設の窓サッシ開口部外周に３０ｍｍ程度の取付面があれば取付可能であり、工事完了後の建物においても、容易に取付が可能である。【００１５】  上記のように、本発明に係る面格子は、極めて高い防犯性はもちろん建物の外観のデザイン性の向上、室内の開放感の向上、品質劣化防止など、単なる面格子の用途を超えて様々な効果を有するものである。
【発明を実施するための最良の形態】
【００１６】  本発明は、窓の外側に配設した面格子であって、透視性、透光性を有する合成樹脂で形成したものである。故に、室内から外部の様子を遮蔽物なしに見通すことが可能で、建物の外観上のデザインの統一感を損ねず、窓の硝子面積部分と同様の採光が可能であり、硝子の２００倍程度の耐衝撃性能を有する合成樹脂により極めて高い防犯性を有する。【００１７】  透視性、透光性、極めて高い耐衛撃性能を有する合成樹脂としては、ポリカーボネイトを好適に用いることが出来る。【００１８】  なお、この透視性、透光性を有する合成樹脂で形成した面格子は、面状部が無色透明なものは当然として、任意に着色した有色の透光性を有するものとしたり、スモーク状のものとしても構わない。
【実施例】  以下、添付図に基づいて、本発明の実施例を説明する。【００１９】  図１は、本発明に係る面格子の実施例を示す立図面で、図２は、本発明に係る面格子の実施例を示す縦断面図、図３は、本発明に係る面格子の実施例を示す横断面図である。【００２０】  本発明に係る面格子は、図１、及び図２に示すように、透光性、透視性を有する合成樹脂製の面状部１を、矩形形状の枠体３内に嵌合して構成しており、同枠体３はアルミ製の縦枠２ａ、２ｂと上枠２ｃ、下枠２ｄとからなる。なお、枠体３はアルミ製に限るものではなく、木製、スチール製、合成樹脂製としてもよい。又、縦枠２ａと上枠２ｃ及び下枠２ｄ、縦枠２ｂと上枠２ｃ及び下枠２ｄは、コーナージョイント５により嵌合される。【００２１】  図２中、透光性、透視性を有する面状部１は、矩形形状の縦枠２ａ２ｂ及び上枠２ｃ、下枠２ｄの内側の最外部に、Ｌ字アングル押え６により固定される。さらに、Ｌ字アングル押えは、上枠２ｃ、下枠２ｄ、縦枠２ａ、２ｂの窓サッシ開口部７側、即ち手前側より、カシメもしくはビスにより固定される。【００２２】  図３に示すように、縦枠２ａ、２ｂの窓サッシ開口部７側、即ち手前側には、面格子取付金具５の座金板５ａが上下にスライド可能なチャンネル形状の溝を有し、縦枠２ａ、２ｂと、面格子取付金具５の固定にあたっては縦枠の上端、下端それぞれより任意の位置に面格子取付金具５をスライドさせ、座金締め付けビス５ｂを締め付け固定する。さらに、窓サッシ開口部７周囲の外壁に面格子取付金具５本体を躯体取付ビス５ｃにより締め付け固定する。【００２３】  本発明に係る面格子は、面格子取付金具５により、枠体３と躯体を固定する為、窓サッシ開口部７外周に３０ｍｍ程度の取付面があれば取付可能であり、工事完了後の建物においても容易に後付する事が可能である。
【図面の簡単な説明】
【図１】  本発明に係る面格子の実施例を示す立面図である。
【図２】  本発明に係る面格子の実施例を示す縦断面図である。
【図３】  本発明に係る面格子の実施例を示す横断面図である。
【符号の説明】
１、        面状部                ５、  面格子取付金具
２ａ、２ｂ  縦枠                  ５ａ、座金板
２ｃ、      上枠                  ５ｂ、座金締め付けビス
２ｄ、      下枠                  ５ｃ、躯体取付ビス
３、        枠体                  ６、  Ｌ字アングル押え
４、        コーナージョイント    ７、  窓サッシ開口部
【図１】
2006336438.tif 000003
【図２】
2006336438.tif 000004
【図３】
2006336438.tif 000005